(57)【要約】【課題】前処理を施さない布帛等にも、写真画像やデザイン等を簡便に形成した染色物の製造方法を提供すること。【解決手段】デジタル画像データに基づき昇華性染料パターンを転写用紙上に作成する工程、この染料パターンを被転写物に転写する工程を含むことを特徴とする画像染色物の製造方法。全工程を実施するために必要な機材を搭載した車両をイベント会場へ運搬した後に、画像染色物の依頼者の要望に基づいて該現場で全工程を実施することが好ましい。【選択図】  図１
2005002495.tif 000002
【特許請求の範囲】
【請求項１】
デジタル画像データに基づき昇華性染料パターンを転写用紙上に作成する工程、この染料パターンを被転写物に転写する工程を含むことを特徴とする画像染色物の製造方法。
【請求項２】
全工程を実施するために必要な機材を搭載した車両をイベント会場の現場へ運搬する工程の後に、画像染色物の依頼者の要望に基づいて該現場で全工程を実施する請求項１記載の画像染色物の製造方法。
【請求項３】
全工程を実施するために必要な機材を設置した店舗内において画像染色物の依頼者の要望に基づいて、全工程を実施する請求項１記載の画像染色物の製造方法。
【請求項４】
コンピューターシステムを利用して画像染色物を製造する方法において、
画像染色物の依頼者に対して、
（１）画像データの入力または取得を促す段階と、
（２）所望の画像データの選択を促す段階と、
（３）画像の種類に応じて複数供給された背景画像から一つの選択を促すことにより、所望の画像データ及び背景画像データを一体とした結合画像データを形成する段階と、
（４）この結合画像データに基づき転写用紙上に転写性染料パターンを形成することを促す段階と、
（５）転写紙上の染料パターンを目的とする被転写物に転写することを促す段階、を含むことを特徴とする画像染色物のセルフサービスによる製造方法。
【発明の詳細な説明】
【０００１】
【発明の属する技術分野】
本発明は、デジタル画像データに基づき、染色した布帛等を製造する方法に関する。
【０００２】
【従来の技術】
写真画像及び各種着色デザインを各種の媒体、例えば、Ｔ−シャツ、マグカップ表面のフィルム等にプリントするニーズが高まっている。写真画像及び各種着色デザインを各種の媒体にプリントする方法としては、大きく分けて、ダイレクトプリントと転写プリントの二つの方法がある。ダイレクトプリントは、写真画像その他各種着色デザインを各種の媒体に直接印刷する方法であり、特殊な装置及び熟練した技術を必要とする。
【０００３】
転写プリントは、転写用紙に原画像を印刷した染料パターンを一旦形成した後に、各種の被転写物に転写する方法であり、写真印刷等の画像が細かいものも鮮明に表現できるという長所がある。転写プリントは、大きく分けて、表面貼り付けタイプと表面浸透タイプの二つに分けられる。
【０００４】
表面貼り付けタイプは、写真画像その他各種着色デザインを印刷した樹脂シートを接着剤で貼りあわせる方法等であり、広く使われている方法である。この方法により布帛にプリントした場合には、通気性を損なう等の問題点がある。
【０００５】
表面浸透タイプは、写真画像又は各種着色デザインを転写した染料パターンから染料が直接被転写物に転写される方法である。表面浸透タイプとしては、転写しようとする画像をデジタル画像データとした後、これをインクジェット方式により印写するインクジェット印写方法が開示されており、一つの方法では、布帛に予め滲み防止のために非染着性高分子化合物の皮膜を形成する前処理を施し、インクジェット印写の後に布帛に色素を固着するための後処理を施している（例えば、特許文献１参照）。
【０００６】
【特許文献１】
特開平９−２６２９７７号公報
【０００７】
【解決しようとする課題】
本発明が解決しようとする課題は、特に前処理を施さない布帛等にも、写真画像やデザイン等を簡便に形成した染色物の製造方法を提供することにある。
【０００８】
【課題を解決するための手段】
本発明の上記課題は、以下の手段により解決された。
（１）デジタル画像デ−タに基づき昇華性染料パターンを転写用紙上に作成する工程、この染料パターンを被転写物に転写する工程を含むことを特徴とする画像染色物の製造方法、
（２）アナログ画像をデジタル画像に変換した後に、このデジタル画像に基づき昇華性染料パターンを作成する（１）に記載の画像染色物の製造方法、
（３）通信ネットを通じて受信したデジタル画像を使用する（１）又は（２）に記載の画像染色物の製造方法、
（４）染料パターンを転写する被転写物が布帛又はフィルムである（１）〜（３）いずれか１つに記載の画像染色物の製造方法、
（５）超極細繊維からなる織物又は編み物である布帛を使用する（４）記載の画像染色物の製造方法、
（６）全工程を実施するために必要な機材を搭載した車両をイベント会場の現場へ運搬する工程、画像染色物の依頼者の要望に基づいて該現場で昇華性染料パターン作成工程及び染料パターン転写工程を実施する（１）記載の画像染色物の製造方法、
（７）全工程を実施するために必要な機材を設置した店舗内において画像染色物の依頼者の要望に基づいて、昇華性染料パターン作成工程及び染料パターン転写工程を実施する（１）記載の画像染色物の製造方法、
（８）セルフサービス方式で製造する（１）〜（７）いずれか１つに記載の画像染色物の製造方法、
（９）コンピューターシステムを利用して画像染色物を製造する方法において、画像染色物の依頼者に対して、１）画像データの入力または取得を促す段階と、２）所望の画像データの選択を促す段階と、３）画像の種類に応じて複数供給された背景画像から一つの選択を促すことにより、所望の画像データ及び背景画像データを一体とした結合画像データを形成する段階と、４）この結合画像データに基づき転写用紙上に転写性染料パターンを形成することを促す段階と、５）転写紙上の染料パターンを目的とする被転写物に転写することを促す段階を含むことを特徴とする画像染色物のセルフサービスによる製造方法、
（１０）イベント（催し物）会場において、イベントに関係した画像データを入力し会場現場において画像染色物を製造する（１）〜（９）いずれか１つに記載の画像染色物の製造方法、
（１１）コンビニ、本屋、写真ミニラボ、結婚式場等の人の集まる会場において、画像染色物を製造する（１）〜（１０）いずれか１つに記載の画像染色物の製造方法。
【０００９】
【発明の実施の形態】
以下、本発明の画像染色物の製造方法を説明する。
図１は、本発明の製造方法に使用する装置の構成を示す概略図である。この装置は、転写用紙上に昇華性染料パターンを作成するパターン作成装置と、転写用紙上の昇華性染料パターンを布帛等の被転写物上に転写する染料パターン転写装置とからなる。
【００１０】
パターン作成装置は、原画像の画像読み取り装置１０と、読み取った画像データを画像処理する画像作成装置２０と、画像データを記憶する記憶手段３０と、画像データに基づき転写用紙上に昇華性染料パターンを形成する染料パターン作成手段４０を代表的な構成要素としている。染料パターン作成手段４０が画像作成装置２０及び記憶手段３０の機能を具備していてもよい。
【００１１】
染料パターン転写装置５０は、転写用紙上の昇華性染料パターンと布帛等の被転写物とを重ね合わせて密着状態に保持するために必要な部材と、密着状態において転写紙から昇華性染料を被転写物に転写するための熱源を備えている。
【００１２】
ここで、本発明の製造方法は、原画像の画像情報を画像読み取り装置１０によって読み取る工程と、画像読み取り装置１０によって読み取られた画像データを画像作成装置２０によって所定の画像処理を行う工程と、画像処理を行った画像データを記憶手段３０によって記憶する工程と、画像処理を行った画像データに基づき、染料パターン作成手段４０によって転写用紙上に昇華性染料パターンを形成する工程と、染料パターン転写装置５０によって被転写物上に昇華性染料パターンを転写する工程と、を含んでいる。後の２工程が必須工程である。
【００１３】
次に、本発明の画像染色物の製造方法を工程順に説明する。
【００１４】
まず、画像読み取り装置１０によって原画像のデジタル画像データが読み取られる。画像読み取り装置としては、市販のパソコンを使用することができる。パソコンに取り込む原画像は、種々の媒体に保存された種々の保存形式の画像であることができ、デジタルカメラで撮影した画像、作者がグラフィックデザインした画像、写真プリント、紙に描かれた絵、などが含まれ、白黒又はカラーであってよい。必要に応じて、アナログ画像はスキャナーでデジタル信号に変換してパソコンに取り込むことができる。以後、デジタル信号として取り込まれた画像をデジタル画像と称する。
【００１５】
画像読み取り装置１０によって読み取ったデジタル画像データは、画像作成装置２０に取り込まれる。画像作成装置２０は、転写用紙上にきれいに転写できるような昇華性染料パターンを形成するために必要に応じて適切な画像処理を行う。
デジタル画像は、額縁のように画像の周辺にデザインをした「背景画像」と合成することが好ましい。この背景画像は、ジャンル別に予め基本デザインを複数作成しておくことが好ましい。ジャンルとしては、記念撮影用、スポーツ用、ポートレート用などに大別され、更にその種類により細分される。背景画像の形状は多岐にわたる。例えば、額縁状の枠が一例として挙げられる。ただしこの枠は、必ずしも、デジタル画像の外側四辺に設ける必要はなく、下辺のみ、右下のみ、左上のみ、に設けることができる。又別の背景画像としては中央部に設ける例がある。
【００１６】
デジタル画像は、背景画像と合成する前に、暗過ぎる画像、明る過ぎる画像、コントラストの強過ぎる画像、弱すぎる画像等を、適当な階調を有して最低濃度と最高濃度が適当である所期の目的にかなった画像になるように画像調整を施すことが好ましい。
また市販のインクジェットプリンターを使用して出力する場合には、使用する昇華性染料に適したカラープロフィルとなるようにデジタルデータを修正し、色調整を行うことが好ましい。
【００１７】
デジタル画像、背景画像、及びこれらが結合された結合画像は、適宜パソコンの記憶手段３０（内部記憶装置又は外部記憶装置）に保存することができる。内部記憶装置にはハードディスクドライブを使用し、必要に応じて、フレキシブルディスク、メモリースティック、ＣＤ−ＲＯＭ、ＭＯ、ＺＩＰなどの外部媒体に保存しても良い。
【００１８】
画像作成装置２０は、表示部（ディスプレイ装置）を備えていることが好ましく、この表示部により転写画像、背景画像、及び結合画像の内容を確認しながら、画像の選択、画像の加工、結合、修正等を行うことができる。画像の加工修正としては、不要部分の削除（トリミング）、拡大縮小、上記の背景画像の付加、氏名・年月日、その他の文字データの付加などが例示できる。
【００１９】
画像読み取り装置１０によって読み込まれるファイル形式、又は記憶手段３０に記憶されるファイルの形式としては、ＪＰＥＧ，ＪＴＩＦ，ＴＩＦ等が例示できる。必要に応じてこれらのファイル形式は相互に変換できる。
【００２０】
画像作成装置２０にて画像処理が済んだデジタル画像は次に、染料パターン作成手段４０に転送される。そしてこの染料パターン作成手段４０によって転写用紙上にデジタル画像に基づく昇華性染料パターンが形成される。この昇華性染料パターンは原画像から見ると、左右が反転した画像とすることが好ましい。染料パターン作成手段４０としては、昇華性染料インクを備えたインクジェットプリンターや昇華性染料インクリボンを備えた感熱転写式プリンターが例示できる。
【００２１】
転写方式としては、非接触のインクジェット方式が好ましい。以下、このインクジェット方式を代表例として説明する。この方式では、デジタル画像情報に基づき、インクジェットヘッドをＸＹ平面内で移動させる。移動中に色データに基づきインクジェット吐出ノズルからＣＭＹ及び黒のインクの吐出を適宜行わせることにより昇華性インクのパターンが転写紙上に形成される。
本発明においてインクジェット方式とは、オンデマンドインクジェット方式を指し、なかでもピエゾオンデマンドインクジェット方式が好ましく使用できる。
【００２２】
昇華性染料インクは、水性溶媒中に微細な昇華性染料を分散したインクである。分散された染料微粒子の凝集を防止するために、界面活性剤等の分散安定剤を使用する。昇華性染料インクは染料パターン作成手段により転写用紙上に一旦保持される。インクは減色法の３原色（イエロー（Ｙ）、マゼンタ（Ｍ）及びシアン（Ｃ））を組み合わせて使用することが好ましく、必要に応じて黒インクを併用しても良い。イエローを１色とし、マゼンタ及びシアンを濃淡２色としても良い。黒インクはＣＭＹ３色を混合使用しても良く、黒１色を使用しても良い。
【００２３】
昇華性染料としては多くの分散染料、一部の油溶性染料及び一部の塩基性染料が使用できる。
本発明で用いる染料は、蒸気圧が高く、且つ熱安定性の良いことが求められるため、非イオン性の分散染料が好ましい。具体的にはカラーインデックスＮｏ．による表示で、ＣＩ  Ｄｉｓｐｅｒｓｅ  Ｙｅｌｌｏｗ−７、４２、６４、７１、Ｏｒａｎｇｅ−１３、Ｒｅｄ−４、５０、６０、１４６、３６４、Ｖｉｏｌｅｔ−２８、Ｂｌｕｅ−５６などが挙げられる。このほか、アミノアントラキノン系、インドアニリン系、キノフタロン系、ジシアノイミダゾール系、ジシアノメチン系、ジアミノアントラキノン系、ジヒドロキシアントラキノン系、ジアミノジヒドロキシアントラキノン系の染料が有効である。
【００２４】
以下にＹＭＣの昇華性染料について詳しく説明する。
イエローの昇華性染料としては  Ｋａｙａｃｅｔ  Ｙｅｌｌｏｗ  ＡＧ、Ｋａｙａｋｕｔ  Ｙｅｌｌｏｗ  ＴＤＮ（以上日本化薬（株）製）、ＰＴＹ５２  、Ｄｉａｎｉｘ  Ｙｅｌｌｏｗ  ５Ｒ−Ｅ、Ｄｉａｎｉｘ  Ｙｅｌｌｏｗ  Ｆ３Ｇ−Ｅ  、Ｄｉａｎｉｘ  Ｂｒｉｌｌｉａｎｔ  Ｙｅｌｌｏｗ  ５Ｇ−Ｅ（以上三菱化成（株））、プラスト  Ｙｅｌｌｏｗ  ８０４０、ＤＹ１０８  （以上有本化学（株）製）、Ｓｕｍｉｋａｒｏｎ  Ｙｅｌｌｏｗ  ＥＦＧ、Ｓｕｍｉｋａｒｏｎ  ＹｅｌｌｏｗＥ−４ＧＬ  （以上住友化学（株）製）、ＦＯＲＯＮ  Ｂｒｉｌｌｉａｎｔ  Ｙｅｌｌｏｗ  Ｓ６ＧＬＰＩ  （Ｓａｎｄ  社製）等が例示できる。
【００２５】
マゼンタの昇華性染料としては、例えば  Ｋａｙａｃｅｔ  Ｒｅｄ  ０２６、Ｋａｙａｃｅｔ  Ｒｅｄ  １３０、Ｋａｙａｃｅｔ  Ｒｅｄ  Ｂ  （以上日本化薬（株）製）、Ｏｉｌ  Ｒｅｄ  ＤＲ−９９  、Ｏｉｌ  Ｒｅｄ  ＤＫ−９９（以上有本化学（株）製）、Ｄｉａｃｅｌｌｉｔｏｎ  Ｐｉｎｋ  Ｂ（三菱化成（株）製）、Ｓｒｍｉｋａｒｏｎ  Ｒｅｄ  Ｅ−ＦＢＬ  （住友化学（株）製）、Ｌａｔｙｌ  Ｒｅｄ  Ｂ  （Ｄｕ  Ｐｏｎｔ  社製）、Ｓｕｄａｎ  Ｒｅｄ  ７Ｂ  （ＢＡＳＦ社製）  、Ｒｅｓｏｌｉｎ  Ｒｅｄ  ＦＢ、Ｃｅｒｅｓ  Ｒｅｄ  ７Ｂ  （以上  Ｂａｙｅｒ社製）等が例示できる。
【００２６】
シアンの昇華性染料としては、例えば、Ｋａｙａｌｏｎ  Ｆａｓｔ  Ｂｌｕｅ  ＦＧ、Ｋａｙａｃｅｔ  Ｂｌｕｅ  ＦＲ  、Ｋａｙａｃｅｔ  Ｂｌｕｅ  １３６、Ｋａｙａｃｅｔ  Ｂｌｕｅ  ９０６（以上日本化薬（株）製）、Ｏｉｌ  Ｂｌｕｅ  ６３  （有本化学（株）製）、ＨＳＢ９（三菱化成（株）製）、Ｄｉｓｐｅｒｓｅ  Ｂｌｕｅ  ＃１（住友化学（株）製）、ＭＳ  Ｂｌｕｅ  ５０（三井東圧（株）製）、Ｃｅｒｅｓ  Ｂｌｕｅ  ＧＮ（Ｂａｙｅｒ社製）、Ｄｕｒａｎｏｌ  Ｂｒｉｌｌｉａｎｔ  Ｂｌｕｅ  ２Ｇ  （ＩＣＩ社製）等が例示できる。
【００２７】
転写用紙は、昇華性染料インクを適度に含浸することが好ましい。染料インクが転写用紙の表面から深く紙中に入りすぎると熱転写の段階で昇華しにくくなる傾向がある。逆に染料微粒子が適度に紙中に含浸されないとインクの滲みを生じる。転写用紙は、セルロースパルプからなる紙に適当な防水加工を施したものを使用する。
転写用紙はロール状でもシート状でも良い。紙幅約１２０ｃｍで長さ３０ｍのロール状転写用紙を使用して一度にインクを転写することもできる。シート状の転写用紙は転写画像の大きさに合わせて適宜選択できる。
【００２８】
転写紙上に保持された昇華性染料は、熱転写の際に加えられる高温雰囲気下で被転写物に昇華移行して、被転写物に染色され染色物を与える。
被転写物としては、耐熱性の繊維からなる布又は耐熱性フィルムが好ましく使用される。被転写物の材質は、分散染料を受容しうる合成繊維や合成樹脂フィルムが好ましく、芳香族ポリエステル（ポリエチレンテレフタレート（ＰＥＴ）等）が例示できる。
【００２９】
転写しようとする対象物がそれ自身昇華性染料を受容しない場合には、その表面に合成樹脂のフィルムをコーティング又はラミネートする。金属、ガラス、セラミック、木材、紙等の表面に無色透明の樹脂コーティングを施す。対象物とコーティングとの密着性や対象物自身の耐熱性が重要である。タイル、皿、カップ等には、その表面にＰＥＴなど昇華性染料を吸収しうるフィルムを貼り付けることが好ましい。
【００３０】
本発明の画像染色物の製造方法では、被転写物として布帛を使用することができる。布帛を構成する繊維素材としては、植物繊維、動物繊維よりも合成繊維が好ましい。
布帛を被転写物として使用する場合、布帛全体が昇華性染料受容性である必要はない。例えば、表生地がポリエステル１００％であり、裏面は棉１００％のような布帛が好ましく、織り又は編みの選択により作成することができる。
【００３１】
また、本発明の画像染色物の製造方法では、布帛として超極細繊維からなる織物又は編み物を用いることができる。ここでいう超極細繊維とは、０．１デニール以上０．７デニール未満の繊維を意味する。
本発明の画像染色物の製造方法では、布帛として超極細繊維からなる織物又は編み物を用いた場合、転写むらが少なく、かつ高い堅牢度の染色をすることができる。
【００３２】
次に、染料パターン転写装置５０により、転写用紙上の昇華性染料パターンが被転写物に転写される。染料パターン転写装置５０は、転写用紙上の昇華性染料パターンと布帛等の被転写物とを重ね合わせて密着状態に保持するために必要な部材と、密着状態において転写用紙から昇華性染料を被転写物に加熱転写するための熱源から構成される。
【００３３】
染料パターン転写装置５０としては、二つのドラムの間に被転写物と転写用紙とを重ねて転写する連続方式又は台状のプラテン上に被転写物と転写用紙を重ねて熱源からの熱を加えるバッチ方式を採用することができる。これらの方式は、被転写物の種類と形状に応じて選ぶことができる。
手動又は自動の熱圧着機を使用することができ、転写温度、転写時間、転写圧力を適当な範囲に自動的に設定することができる。絵柄、被転写物の種類（Ｔ−シャツ、タオル等）に応じた諸条件を設定する。熱圧着機の転写面積は被転写物の大きさに応じて適宜選択できる。工業用途には、１ｍ×２ｍの大きさも使用できる。また、熱圧着機に、サーモスタット、タイマー、圧力ゲージ等を設置して、転写物に適した条件をボタン操作により選択できるようにすることもできる。また全自動の熱圧着機としても良い。また、小規模の実施には家庭用アイロンも使用できる。
【００３４】
転写温度は、昇華性染料の種類により適宜選択できるが、１５０〜２５０℃が好ましく、１６０〜２００℃がより好ましい。
転写時間は、０．５〜５分が標準的であり、０．６〜１分がより好ましい。加熱時間は昇華性染料の熱特性によって異なり、一般に、転写後の高い堅牢度を要求する染料の場合には高い加熱温度と長い加熱時間を使用する。
転写圧力は、０．０１〜１．０ｋｇ重／ｃｍ２（０．０９８〜９．８Ｎ／ｃｍ２）が好ましく、０．０２〜０．５ｋｇ重／ｃｍ２（０．１９〜４．９Ｎ／ｃｍ２）がより好ましい。
【００３５】
本発明の画像染色物の製造方法では、原画像は上記のデジタル画像だけではなくアナログ画像であってもよい。アナログ画像としては、写真フィルム画像、ポスターなどが例示でき、これらは白黒もしくはカラーであってよい。
【００３６】
原画像がアナログ画像の場合において、画像読み取り装置１０では、光学素子を備えた撮像部で得た光学画像をデジタル信号に変換し、所定の信号処理を行ってデジタル画像データに変換して出力する。この実施形態において、画像読み取り装置１０としては、フィルムスキャナ、イメージスキャナ、コピー機、あるいはこれらの複合機などが例示できる。
【００３７】
画像読み取り装置１０により、アナログ画像からデジタル画像に変換された画像データは上記と同様の製造方法により、被転写物に原画像が転写された画像染色物を製造することができる。
【００３８】
本発明の画像染色物の製造方法では、原画像としては上記のものに加え、通信ネットを通じて受信したデジタル画像を使用することができる。電気通信回線、光ファイバー通信などの通信ネットを用いて送信されたデジタル画像データを受信し、上記と同様の製造方法により被転写物に原画像が転写された画像染色物を製造することができる。送信媒体としては、コンピュータ、携帯電話などが例示できる。
【００３９】
本発明の画像染色物の製造方法では、セルフサービス方式で製造することができる。ここでいうセルフサービス方式とは、画像読み取り装置１０による原画像の読み取り工程から染料パターン転写装置５０による被転写物への昇華性染料パターンの転写工程に至る全ての工程を顧客自らが行えることを意味する。
【００４０】
セルフサービス方式で製造することができるので、本発明の製造方法に使用する装置はいたる所に設置することが可能であり、顧客は所望の画像染色物を手軽に製造することができる。
【００４１】
本発明は、各種の催しが開催されるイベント会場において、そのイベントに関係した画像データを入力しイベント会場現場において画像染色物を製造するために使用できる。本発明に使用する装置、転写用紙およびインク等を、車両に搭載してそのまま車両内で使用することもできる。車両としては、列車、電車、自動車等が挙げられ、自動車の使用が便利である。
本発明を、コンビニ、スーパー、デパート、ショッピングモール、駅、本屋、写真ミニラボ店、映画館、カラオケ店、公園、遊園地、テーマパーク、博物館、名所旧跡、観光地、海水浴場、スキー場、野球場等のスポーツ会場、ホテル、パーティ会場、同窓会場、結婚式場、入学式・卒業式・文化祭等の学校行事等の不特定又は特定の人が集まる会場において、画像染色物を製造するために実施することができる。特に、商品又はサービスを並べて販売するための建物である店舗内で本発明の製造方法を実施することが好ましい。
また、文化教室、グラフィックデザイン専門学校、一般の学校での美術・工作・ＩＴ教育の授業又は課外活動として実施することができる。
上記のような集客会場において、その会場独自又はその会場で開催されるイベントに特有の企画のデザイン、写真等を使用することもできる。
【００４２】
本発明は、会社、スポーツクラブ等のユニフォーム、手作りタイ、Ｔ−シャツ、パンスト等の衣料品、クッション、椅子カバー、ロールカーテン、壁紙、じゅうたん、窓等のインテリア、めがね拭きクロス、ハンカチ、スカーフ、帽子、等の布帛転写物、携帯電話やカメラ等のストラップ、かばん、バッグ、手帳、書籍、カレンダー、ワッペン、エンブレム、のれん、扇子、うちわ、ステッカー、コースター、ランチョンマット、アルバム、冷蔵庫・流し台・ポットなどの家庭用品の外装、車両の外壁及び窓を製造するために使用することができる。その他、マグカップ、タイル、プレート（マグネットクリップ、キーホルダー、バックタグ等）、ジグソーバズル、等の製作に使用できる。
【実施例】
本発明を実施例により説明するが、本発明はこれに限られるものではない。
（実施例１）
１辺が約１５ｃｍの正方形の着色したデザインの画像データをフレキシブルディスクからパソコンのハードディスクに読み込んだ。黄色の背景に黒の犬をデザインした画像の外周に幅が約１．５ｃｍの橙色の枠を背景画像データとして選択して結合画像データを形成させた。
ＹＭＣ及び黒の昇華性染料インクを使用して、エプソン株式会社製のインクジェットプリンター（ＰＭ−３５００Ｃ）により転写用紙（三菱製紙株式会社製ＮＭＤ−９０）に左右逆の染料パターンを作成した。ポリエチレンテレフタレート製の超極細繊維を織った布（カネボウ株式会社製ザヴィーナマックスＳ）を被転写物として上記の染料パターンと重ね合わせ、１９０℃に加熱した圧着機により１分間加熱して、昇華性染料を染色した。良好な画像染色物が得られた。
（実施例２）
市民野球大会の開催される会場に、パソコン、インクジェットプリンター（ＰＭ−８７０Ｃ）及び熱圧着機等により構成される画像染色機を搭載したミニバンを搬入した。優勝したチームＡの選手等の集合写真を優勝トロフィーと一緒にデジカメにより撮影した。撮影した集合写真をパソコンに取り込み、トリミング等の編集を行った。次いで「第３回市民野球大会優勝  チームＡ」の文字を写真の下部に挿入し結合画像とした。昇華性のＹＭＣおよび黒インクを備えたエプソン株式会社製インクジェットプリンター（ＰＭ−８７０Ｃ）を用いて、転写紙上に左右を反転したフルカラーの画像を作成した。次にポリエステル繊維１００％のＴ−シャツの胸の部分に転写用紙を密着させて、熱圧着機で１分間圧熱して昇華性染料をＴシャツに昇華移行させ、鮮明な画像染色物を得た。この工程を繰り返して合計１２枚の画像染色したＴシャツを作成した。１２枚作成に要する時間は約３０分以内であった。
（実施例３）
実施例２の全工程をセルフサービス工程により実施した。
（実施例４）
染色を教える文化教室にパソコン、インクジェットプリンター及び熱圧着機等の画像染色機を持ち込み、作動するようにセットした。
受講者に自分でデザインした花模様の画像をスキャナーで読み取らせ、パソコンを使用してトリミング、色調整等の画像調整を行わせた。
次いで実施例２と同様の方法で転写用紙を作成させた。
次に受講者にポリエステルの超極細繊維で織られた無地のメガネ拭き用の布地と転写用紙の間に桜の葉を挟んで、家庭用のアイロンで圧熱させた。使用したアイロンの温度は１８０℃、押圧時間は約１．５分であった。このようにして得られたメガネ拭きは桜の葉を挟んだ部分では葉脈のみが少し染色されてはいたが、葉全体はほぼ無地のままに抜かれ、葉以外の部分ではデザインした通りの花模様が鮮明に染色されていた。
このようにして受講者は自分でデザインしたメガネ拭きを作った。
（実施例５）
カラオケ店に入った客が二人で歌っているところをデジタルカメラで撮ってもらった。客は受付でポリエステル製のＴ−シャツを入手した後、カラオケ店内に設置してある実施例３と同様のセルフ画像染色機を操作して二人の写真を染色した揃いの２枚のＴ−シャツを作った。
【００４３】
【発明の効果】
本発明によれば、特に前処理を施さない布帛等にも、写真画像等を簡便に染色した染色物を製造することができる。さらに、布帛として超極細繊維からなる織物又は編み物を用いると染めむらのない堅牢な染色物を製造することができる。本発明は、セルフサービス方式でも、画像染色物を製造することができる。
【図面の簡単な説明】
【図１】本発明の画像染色物の製造方法に使用する装置例の構成を示す概念図である。
【符号の説明】
１０  画像読み取り装置
２０  画像作成装置
３０  記憶手段
４０  染料パターン作成手段
５０  染料パターン転写装置
【図１】
2005002495.tif 000003